(57)【要約】【課題】自律走行中に異常による走行停止状態が発生したとき、緊急停止車両に乗り込んでの有人操作による操作負担を低減すること。【解決手段】自律走行が可能な無人運転車両V101〜V105と、無人運転車両V101〜V105を遠隔操作により走行可能とするリモートコントローラM115と、を備える。この無人搬送システムにおいて、自律走行中に異常による走行停止状態が発生したとき、緊急停止車両ＡとリモートコントローラM115の位置関係により遠隔操作位置が、緊急停止車両Ａの進行を妨げる障害物がないことを確認できる位置であるかどうかを判断する。遠隔操作位置が、緊急停止車両Ａの進行を妨げる障害物がないことが確認できる位置であると判断されると、遠隔操作により自律走行状態への復帰が可能な遠隔操作権限を与える。【選択図】図８
2018063615.tif 000002
【特許請求の範囲】
【請求項１】
物理的または仮想的に設定された走行ルートを無人運転により追従する自律走行が可能な無人運転車両と、前記無人運転車両を遠隔操作により走行可能とする遠隔操作機器と、を備える無人運転システムにおいて、
前記無人運転車両の位置を検出する車両位置検出手段と、
前記遠隔操作機器の位置を検出する機器位置検出手段と、を有し、
自律走行中に異常による走行停止状態が発生したとき、緊急停止車両と前記遠隔操作機器の位置関係により遠隔操作位置が、前記緊急停止車両の進行を妨げる障害物がないことを確認できる位置であるかどうかを判断し、
前記遠隔操作位置が、前記緊急停止車両の進行を妨げる障害物がないことが確認できる位置であると判断されると、遠隔操作により自律走行状態への復帰が可能な遠隔操作権限を与える
ことを特徴とする無人運転システムの遠隔操作方法。
【請求項２】
請求項１に記載された無人運転システムの遠隔操作方法において、
前記遠隔操作位置の判断をするとき、予め定められた走行ルート情報に基づいてエリア範囲を生成し、
前記遠隔操作位置が生成された前記エリア範囲に存在すると、前記緊急停止車両の進行を妨げる障害物がないことを確認できる位置であると判断する
ことを特徴とする無人運転システムの遠隔操作方法。
【請求項３】
請求項２に記載された無人運転システムの遠隔操作方法において、
前記エリア範囲は、自律走行中に随時更新される走行ルート情報と、更新される走行ルートを走行するときの車両速度情報とに基づき、前記車両速度が高い走行ルート上での緊急停車であるほど狭い範囲に生成する
ことを特徴とする無人運転システムの遠隔操作方法。
【請求項４】
請求項２又は請求項３に記載された無人運転システムの遠隔操作方法において、
前記エリア範囲は、前記緊急停止車両に搭載された外界センサからの外界認識範囲情報とのマッチングによって拡がり角度を決める
ことを特徴とする無人運転システムの遠隔操作方法。
【請求項５】
請求項４に記載された無人運転システムの遠隔操作方法において、
前記エリア範囲は、前記外界認識範囲情報とのマッチングによって決められた拡がり角度情報に、前記緊急停止車両と前記遠隔操作機器との距離情報を加えて生成する
ことを特徴とする無人運転システムの遠隔操作方法。
【請求項６】
請求項５に記載された無人運転システムの遠隔操作方法において、
前記エリア範囲を生成するとき、前記遠隔操作機器を操作する操作者のスキル情報を加味し、前記スキル情報が熟練を示すほど前記エリア範囲の距離を長くし、前記スキル情報が未熟を示すほど前記エリア範囲の距離を短くする
ことを特徴とする無人運転システムの遠隔操作方法。
【請求項７】
請求項１から請求項６までの何れか一項に記載された無人運転システムの遠隔操作方法において、
前記遠隔操作機器として、第１遠隔操作機器と第２遠隔操作機器とを有し、
自律走行中に前記第１遠隔操作機器からの遠隔操作により走行停止状態が発生したとき、緊急停止車両Ａから前記第１遠隔操作機器までの第１位置と、緊急停止車両Ａから前記第２遠隔操作機器までの第２位置との大小関係を判断し、
前記第１位置が前記第２位置以下の距離であると判断されている間、前記第２遠隔操作機器への遠隔操作を無効とし、前記第１遠隔操作機器への遠隔操作による停車指示を継続する
ことを特徴とする無人運転システムの遠隔操作方法。
【請求項８】
物理的または仮想的に設定された走行ルートを無人運転により追従する自律走行が可能な無人運転車両と、前記無人運転車両を遠隔操作により走行可能とする遠隔操作機器と、を備える無人運転システムにおいて、
前記無人運転車両の位置を検出する車両位置検出手段と、
前記遠隔操作機器の位置を検出する機器位置検出手段と、
前記遠隔操作機器による遠隔操作権限の切り替え制御を行うコントローラと、を有し、
前記コントローラは、自律走行中に異常による走行停止状態が発生したとき、緊急停止車両と前記遠隔操作機器の位置関係により遠隔操作位置が、前記緊急停止車両の進行を妨げる障害物がないことを確認できる位置であるかどうかを判断し、
前記遠隔操作位置が、前記緊急停止車両の進行を妨げる障害物がないことが確認できる位置であると判断されると、遠隔操作により自律走行状態への復帰が可能な遠隔操作権限を与える処理を実行する
ことを特徴とする無人運転システムの遠隔操作装置。
【発明の詳細な説明】
【技術分野】
【０００１】
本開示は、遠隔操作走行と自律走行が可能な無人運転車両を備える無人運転システムの遠隔操作方法と遠隔操作装置に関する。
【背景技術】
【０００２】
従来例として、障害物を検出した際やシステムのフェイル時は、遠隔操作入力によらず車両を自動的に制動することで安全の確保を行っている携帯型通信装置を使用した自動車の遠隔制御操縦システムが知られている（特許文献１を参照）。
【先行技術文献】
【特許文献】
【０００３】
【特許文献１】特開２０１５−５０６１８４号公報
【発明の概要】
【発明が解決しようとする課題】
【０００４】
しかしながら、上記従来例にあっては、自律走行中に異常（例えば、「センサの過検知/誤検知による回避不要な障害物の検出時」や「逆光等による瞬間的なセンサ異常時」）が発生したとき、遠隔での操作不能かつ車両停止状態となってしまう。このため、遠隔での操作不能かつ車両停止状態となった際は、停止車両に乗り込んでの有人操作によって自律走行に復帰させる等の対応操作が必要である、という問題があった。
【０００５】
本開示は、上記問題に着目してなされたもので、自律走行中に異常による走行停止状態が発生したとき、緊急停止車両に乗り込んでの有人操作による操作負担を低減することを目的とする。
【課題を解決するための手段】
【０００６】
上記目的を達成するため、本開示は、自律走行が可能な無人運転車両と、無人運転車両を遠隔操作により走行可能にする遠隔操作機器と、を備える。
この無人運転システムにおいて、無人運転車両の位置を検出する車両位置検出手段と、遠隔操作機器の位置を検出する機器位置検出手段と、を有する。
自律走行中に異常による走行停止状態が発生したとき、緊急停止車両と遠隔操作機器の位置関係により遠隔操作位置が、緊急停止車両の進行を妨げる障害物がないことを確認できる位置であるかどうかを判断する。
遠隔操作位置が、緊急停止車両の進行を妨げる障害物がないことが確認できる位置であると判断されると、遠隔操作により自律走行状態への復帰が可能な遠隔操作権限を与える。
【発明の効果】
【０００７】
このように、緊急停止車両と遠隔操作機器の位置条件が成立すると、遠隔操作による自律走行状態への復帰を可能にすることで、自律走行中に異常による走行停止状態が発生したとき、緊急停止車両に乗り込んでの有人操作による操作負担を低減することができる。
【図面の簡単な説明】
【０００８】
【図１】実施例１の遠隔操作方法と遠隔操作装置が適用された無人搬送システム（無人運転システムの一例）における走行環境例を示す走行環境説明図である。
【図２】実施例１の遠隔操作方法と遠隔操作装置が適用された無人搬送システムの構成を示すシステム構成図である。
【図３】実施例１の無人搬送システムでの搬送運用時における状態遷移を示す状態遷移図である。
【図４】実施例１における管制室のリモートモニタ/コントローラの詳細構成を示す構成図である。
【図５】実施例１における管制室のリモートモニタ/コントローラの処理系とリモートコントローラの詳細構成を示すブロック構成図である。
【図６】自律走行による緊急停止した車両の「エリア１範囲」と「エリア２範囲」の設定例を示すエリア範囲設定図である。
【図７】実施例１の無人搬送システムにおいて通常のとき各操作部から操作可能な通常操作権限を図示する操作権限表である。
【図８】実施例１の無人搬送システムにおいて無人運転車両が緊急停車したとき遠隔操作位置判断に応じて切り替えられる緊急停車時操作権限を図示する操作権限表である。
【図９】無人運転車両が障害物検出により停止したときの緊急停車対応処理の流れを示すフローチャートである。
【図１０】無人運転車両が障害物検出により停止したときの作業者への異常発生通知作用を示す作用説明図である。
【図１１】無人運転車両が回避不要な障害物検出により停止したときの強制走行による障害物回避作用を示す作用説明図である。
【図１２】無人運転車両が回避不要な障害物検出により停止したときの有人操作による障害物回避作用を示す作用説明図である。
【図１３】無人運転車両が回避不要な障害物検出により停止したとき操作者スキルによる遠隔操作制限作用を示す作用説明図である。
【図１４】異常を発見して無人運転車両を遠隔操作により停止したときの緊急停車対応処理の流れを示すフローチャートである。
【図１５】異常を発見して無人運転車両を遠隔操作により停止したとき意図しない発進の抑制作用例１を示す作用説明図である。
【図１６】異常を発見して無人運転車両を遠隔操作により停止したとき意図しない発進の抑制作用例２を示す作用説明図である。
【発明を実施するための形態】
【０００９】
以下、本開示による無人運転システムの遠隔操作方法と遠隔操作装置を実現する最良の実施形態を、図面に示す実施例１に基づいて説明する。
【実施例１】
【００１０】
まず、構成を説明する。
実施例１における遠隔操作方法と遠隔操作装置は、例えば、工場においてラインオフした完成車（搬送対象）を、無人運転による牽引車と搬送台車を用いて工場敷地内や埠頭などにて無人搬送する無人搬送システム（無人運転システムの一例）に適用したものである。以下、実施例１の構成を、「走行環境構成」、「全体システム構成」、「搬送運用時の状態遷移構成」、「リモートモニタ/コントローラ構成」、「操作権限判断/処理構成」、「エリア範囲と操作者スキルの設定構成」、「各操作部での操作権限の切り替え構成」に分けて説明する。
【００１１】
［走行環境構成］
図１は、実施例１の遠隔操作方法と遠隔操作装置が適用された無人搬送システムにおける走行環境例を示す。以下、図１に基づいて、無人搬送システムにおける走行環境構成の詳細を説明する。
【００１２】
無人搬送システムは、限定されたエリア内における規定の走行ルート上を、搬送台車を牽引する無人運転車両(V101〜V105)が、搬送対象を台車上に載せて目的地まで無人運転走行するシステムである。
【００１３】
搬送対象を載せる場所は一か所(D101)であり、搬送対象を降ろす場所は複数地点(D102〜D105)存在する。なお、搬送対象を載せる場所と搬送対象を降ろす場所のそれぞれが複数箇所の場合でも良い。
【００１４】
また、走行ルートは専用ルートではなく、その他のドライバーによる有人車両(O101〜O103)も同一エリアを走行し、無人運転車両(V101〜V105)と有人車両(O101〜O103)の交通を統制するルート内信号機(I101〜I104)が走行ルート上の各所に設置されている。
【００１５】
作業者は、載せ降し作業と次の目的地への発進作業を行う目的で、走行ルート上の載せ降し場(D101〜D105)の位置に、それぞれ１名ずつ配置している(ルート内作業者W101〜W105)。走行ルート外には、各システムのステータスを監視する目的で、屋内に設けられた管制室に１名配置している(管制室作業者W106)。
【００１６】
［全体システム構成］
図２は、実施例１の遠隔操作方法と遠隔操作装置が適用された無人搬送システムの構成を示す。以下、図２に基づいて、全体システム構成の詳細を説明する。
【００１７】
無人運転車両V101〜V105は、車内にステアリングホイール、アクセルペダル、ブレーキペダルを有する有人運転も可能な車両である。センサM101と、自動運転用認識判断プロセッサM102と、自動運転用制御コントローラM104と、を有する。
【００１８】
車載したセンサM101は、車両位置、車両運動量、車両周囲環境をセンシングデータとして取得する。なお、センサM101には、各無人運転車両V101〜V105の位置を検出するGPSシステムM101a（車両位置検出手段）と、車両周囲環境を撮像する車載カメラM101b（外界センサ）を含む。
【００１９】
自動運転用認識判断プロセッサM102は、センサM101からのセンシングデータと、地図/ルートデータM103に基づいて、自動運転のための認識判断を統合処理する。
【００２０】
自動運転用制御コントローラM104は、自動運転用認識判断プロセッサM102による認識判断結果に基づいて、車両の「走る・曲がる・止まる」を制御するための各制御指令値を計算する。そして、計算された各制御指令値を、ステアリングM105、アクセルM106、ブレーキアクチュエータM107を制御するための各車両ECUに入力することで、目的地までの自律走行を実現するようにしている。
【００２１】
目的地やルートは、地図/ルートデータM103に記録された仮想的なコースを追従走行するものであるが、AGV(Auto Guided Vehicle)のように、地上に埋設した磁気レール等の物理的な走行ルートを追従走行するものでも良い。
【００２２】
無人運転車両V101〜V105へ指令を行う目的で、車室内には、運転席に乗車して有人状態での操作指令を行うための車内操作盤M108が車載されている。車室外には、無人状態での操作指令を行うための車外操作盤M109が、走行ルート上の載せ降し場(D101〜D105)のそれぞれの位置に設置されている。そして、車外操作盤M109へルート内作業者W101〜W105からの操作入力があると、シーケンサM110を介して自動運転用制御コントローラM104に伝え、自律走行を制御する。
【００２３】
また、車内操作盤M108と車外操作盤M109には、自律走行中でも強制的に停車させることを目的として、停止ボタンが設けられている。各停止ボタンが押されると、車載されたメカブレーキ機構M111がシーケンサM110を介して作動され、ブレーキアクチュエータM107のペダルに介入することで制動をかける。
【００２４】
メカブレーキ機構M111は、自律走行制御中でも独立して作動し、また、自律走行制御指令よりも優先して作動されるもので、外部からの停止指令の他、車両のシステムフェイルやレーン逸脱等の自己判断の処理結果に基づいても作動されるものとする。
【００２５】
実施例１では、強制ブレーキとして、メカブレーキを用いているが、代替手段として、通常走行でのブレーキ指令を行うECUと独立かつ優先作動する専用ブレーキ制御ECUに置き替えても良い。
【００２６】
車載したワイヤレスモジュールM112と無線通信して、車両とコミュニケーションを図り、自律走行を制御するものとして、管制室のリモートモニタ/コントローラM113を有する。リモートモニタ/コントローラM113には、各無人運転車両V101〜V105のステータスを遠隔監視し、ステータス情報に基づいた個別停止指令や、地震等による運用困難な状況を想定した一斉停止指令が、基本機能として備わっている。
【００２７】
また、車載したワイヤレスモジュールM112は、その他の無線機器として、交差点等、コース上に設置された信号機M114(I101〜I104)とも交差点での発進/停止指令に関する無線通信を行っている。さらに、ルート内作業者W101〜W105は、それぞれリモートコントローラM115（遠隔操作機器）を所持しており、作業者付近で発生した異常時、車載したワイヤレスモジュールM112への無線通信で強制的に停止指令を送ることができる。
【００２８】
なお、このリモートコントローラM115には、GPSシステムが内蔵されており、ルート内作業者W101〜W105は運用中、常に携帯することで、管制室のリモートモニタ/コントローラM113からは、無線通信によりルート内作業者W101〜W105がエリア内のどの位置にいるかが分かる仕組みになっている。
【００２９】
最後に、車外に設置したスピーカ/回転灯M116を、車両ステータスや車両動作(一時停止、再発進、右左折、障害物停止、目的地停止、異常停止、等)に基づいて制御し、視覚的聴覚的に周囲へ注意喚起を行う。
【００３０】
［搬送運用時の状態遷移構成］
図３は、実施例１の無人搬送システムでの搬送運用時における状態遷移を示す。以下、図３に基づいて、搬送運用時の状態遷移構成の詳細を説明する。
【００３１】
搬送運用前、各車両V101〜V105は、搬送エリア近辺の車庫D106に保管されている。始業時に作業者による点検やセットアップを行った後、作業者が運転席に乗車して有人状態での手動運転もしくは自動運転にて、搬送対象の載せ場D101に移動して搬送運用を開始する。
【００３２】
搬送運用中は、載せ場D101から降ろし場D102〜D105を、作業者の発進指令を受けて無人で往復走行する。そして、終業時になると、再び作業者が運転席に乗車して有人状態での手動運転もしくは自動運転にて、降ろし場D102〜D105から車庫D106に戻る。
【００３３】
この搬送運用中であって載せ場D101と降ろし場D102〜D105の無人往復走行中に、メカブレーキM111の作動により停車した際(X101)、基本的には停車位置に作業者が出向く。そして、車外操作盤M109でステータスモニタの後、復旧作業のため、乗車して車内操作盤M108にてメカブレーキM111を解除する(X102)。復旧が完了すれば、そのまま無人運転走行もしくは有人走行にて、載せ場D101もしくは降ろし場D102〜D105に移動し、再び搬送運用を行う。
【００３４】
このメカブレーキM111の作動により停車したとき(X101)、緊急停止した無人運転車両V101〜V105（以下、「緊急停止車両」という。）とリモートコントローラM115の位置関係に応じて、リモートコントローラM115での遠隔操作権限が切り替えられる。そして、リモートコントローラM115に緊急停止車両を移動する遠隔操作権限が与えられると、これを携帯するルート内作業者W101〜W105は、遠隔操作で緊急停止車両を移動させて自律走行可能な状態まで復帰させ、メカブレーキM111を作動させて再停車する(X103)。
【００３５】
［リモートモニタ/コントローラ構成］
図４は、実施例１における管制室のリモートモニタ/コントローラM113の詳細構成を示す。以下、図４に基づいて、リモートモニタ/コントローラ構成を説明する。
【００３６】
管制室のリモートモニタ/コントローラM113は、図４に示すように、産業用ワークステーションのような高性能端末で、ワイヤレスモジュールが搭載された処理系L101を備える。この処理系L101は、自律走行中にメカブレーキM111の作動により走行停止状態が発生したとき、緊急停止車両に対するリモートコントローラM115による遠隔操作位置に応じ、リモートコントローラM115に与える遠隔操作権限を追加する機能を有する。
【００３７】
リモートモニタ/コントローラM113は、搭載されたワイヤレスモジュールを介して、各無人運転車両V101〜V105、信号機等のルート上インフラ機器I101〜I104、ルート内作業者W101〜W105の各自が携帯するリモートコントローラM115と無線接続される。そして、それぞれのステータスモニタや制御信号の指令を行っている。
【００３８】
モニタL102には、無線通信により各機器から集約したデータを表示しており、管制室作業者W106は、通常時、キーボードL103のような入力デバイスを用いながら、運用監視をしている。
【００３９】
そして、遠隔操作用のステアリングホイールL104、ブレーキペダルL105、アクセルペダルL106、パーキングブレーキ、シフト、ウインカー、ハザード等の操作スイッチL107が設けられ、それぞれ処理系L101と接続されている。
【００４０】
モニタL102には、それぞれがどの位置でどんなステータスかを確認できるエリアマップL108と、各ステータスの詳細情報L109と、無人運転車両V101〜V105に車載されたセンサM101中の一つである各カメラの画像データL110と、無人運転車両V101〜V105の俯瞰イメージL111が表示されており、キーボードL103によって画像データ等の切替えが可能である。
【００４１】
また、上記遠隔操作用のデバイスL104〜L107は、管制室作業者W106が与えられた操作権限を反映させたときにのみ、デバイス操作が指令として反映され、通常時はデバイス操作をしても他に影響を与えない。
【００４２】
［遠隔操作権限の判断/処理構成］
図５は、実施例１における管制室のリモートモニタ/コントローラM113の処理系L101とリモートコントローラM115の詳細構成を示す。以下、図５に基づいて、遠隔操作権限の判断/処理構成を説明する。
【００４３】
リモートコントローラM115は、ルート内作業者W101〜W105の各自が携帯し、遠隔操作権限が与えられると、権限が与えられた操作入力により、無人運転車両V101〜V105の動作コントロールができる遠隔操作端末機器である。このリモートコントローラM115は、ワイヤレスモジュールM115aと、GPSシステムM115b（機器位置検出手段）と、車両情報表示部M115cと、遠隔操作入力部M115dと、操作者情報入力部M115eと、操作者情報記憶部M115fと、を有する。
【００４４】
ワイヤレスモジュールM115aは、処理系L101との無線通信により情報交換を行う。GPSシステムM115bは、リモートコントローラM115の位置を検出し、ワイヤレスモジュールM115aを介して処理系L101へ位置情報を伝える。車両情報表示部M115cは、車両の緊急停止による異常発生情報や遠隔操作権限が与えられている遠隔操作情報等を表示する。
【００４５】
遠隔操作入力部M115dは、遠隔操作権限が与えられている遠隔操作を入力する操作ボタン等であり、ボタン操作がなされると、ワイヤレスモジュールM115aを介して無人運転車両に無線伝達する。操作者情報入力部M115eは、リモートコントローラM115を携帯するルート内作業者W101〜W105毎の操作者スキルのライセンス情報を入力する。操作者情報記憶部M115fは、操作者スキルのライセンス情報を記憶し、ワイヤレスモジュールM115aを介して処理系L101へ位置情報を伝える。
【００４６】
リモートモニタ/コントローラM113の処理系L101は、緊急停止車両とリモートコントローラM115の位置関係の判断処理と、操作者スキルを加味した位置関係の判断結果に基づいて遠隔操作権限の切り替え処理を行う。この処理系L101は、ワイヤレスモジュールL101aと、遠隔操作入力処理ブロックL101bと、を備える。そして、遠隔操作入力処理ブロックL101bについては、操作権限情報記憶部L101cと、遠隔操作可能位置情報記憶部L101dと、操作者権限判断処理部L101eと、遠隔操作位置/権限判断処理部L101fと、遠隔操作処理部L101gと、を有する。
【００４７】
ワイヤレスモジュールL101aは、リモートコントローラM115との無線通信により情報交換を行う。遠隔操作入力処理ブロックL101bは、遠隔操作位置が、自律走行中に停止状態になった緊急停止車両の進行を妨げる障害物がないことを確認できる位置であると判断されると、リモートコントローラM115による遠隔操作権限を、通常時遠隔操作権限から緊急停車時遠隔操作権限に切り替える。
【００４８】
操作権限情報記憶部L101cは、通常時遠隔操作権限（図６）の情報を記憶している。遠隔操作可能位置情報記憶部L101dは、緊急停止車両からの距離が異なる遠隔操作可能範囲（エリア１範囲、エリア２範囲）を生成し、この範囲が記憶設定されている。操作者権限判断処理部L101eは、緊急停止車両に対し距離的に最も近い位置の作業者を、遠隔操作権限の切り替えが必要な操作者として選択する。なお、操作者が選択されると、操作者スキルのライセンス情報が、選択された操作者の個人情報として加えられる。
【００４９】
遠隔操作位置/権限判断処理部L101fは、遠隔操作可能範囲（エリア１範囲、エリア２範囲）に選択された操作者（作業者W101〜W105）が存在するか否かの判断を行い、判断結果を遠隔操作処理部L101gへ出力する。遠隔操作処理部L101gは、遠隔操作可能範囲に選択された操作者が存在しないと判断されると、通常時遠隔操作権限のままで遠隔操作権限を切り替えない。一方、遠隔操作可能範囲に選択された操作者が存在すると判断されると、操作者の操作スキルのライセンス情報を考慮し、通常時遠隔操作権限から緊急停車時操作権限に切り替えられる。
【００５０】
［エリア範囲と操作者スキルの設定構成］
エリア範囲とは、遠隔操作位置が緊急停止車両の進行を妨げる障害物がないことが確認できる位置であるかどうかを確認するために設定された緊急停止車両に対する遠隔操作位置の判断情報である。
【００５１】
このエリア範囲としては、緊急停止車両Ａからの撮像視野範囲情報と、緊急停止車両Ａの走行ルート情報と、緊急停止車両Ａからの距離情報とに基づいて、図６に示すように、「エリア１範囲Ｂ」と「エリア２範囲Ｃ」が設定される。
ここで、撮像視野範囲情報とは、緊急停止車両Ａの前方側中央部の位置に車載された車載カメラM101bにより撮像できる視野範囲の情報をいう。走行ルート情報とは、地図/ルートデータM103と緊急停止車両Ａの停止位置情報にて求められるルート白線とルート敷地境界線を含む情報をいう。距離情報とは、緊急停止車両Ａの前方中央部位置からほぼ等距離に設定される情報をいう。
【００５２】
「エリア１範囲Ｂ」は、撮像視野範囲情報にマッチングさせた拡がり角度を持つ径方向線b1,b1と、走行ルート情報によるルート敷地境界線b2と、距離情報による緊急停止車両Ａの前方中央部位置から第１距離L1による円弧線b3に囲まれる領域に設定される。
【００５３】
「エリア２範囲Ｃ」は、撮像視野範囲情報にマッチングさせた拡がり角度を持つ径方向線c1,c1と、走行ルート情報によるルート敷地境界線c2と、距離情報による緊急停止車両Ａの前方中央部位置から第２距離L2による円弧線c3に囲まれる領域に設定される。
【００５４】
つまり、「エリア２範囲Ｃ」は、「エリア１範囲Ｂ」の第１距離L1よりも長い第２距離L2にしたため、「エリア１範囲Ｂ」＜「エリア２範囲Ｃ」という関係に設定される。そして、第１距離L1と第２距離L2は、自律走行中に随時更新される走行ルートと、更新される走行ルートを走行するときの車両速度により設定される。つまり、車両速度が高い走行ルート上での緊急停車であるほど、遠隔操作位置からの障害物の確認が難しくなるため、第１距離L1と第２距離L2を短くし、「エリア１範囲Ｂ」と「エリア２範囲Ｃ」の範囲が狭くされる。
【００５５】
操作者スキル（作業者の操作レベル）は、教育や安全意識，視力等を考慮して発行されるライセンス情報にて管理する。即ち、操作者スキルは、ライセンス情報に基づき、例えば、「操作レベル１」、「操作レベル２」、「操作レベル３」というように分けられ、操作者による遠隔操作入力の有効無効を判断し、車両動作に反映する。
【００５６】
つまり、操作者スキルが「操作レベル１」と「操作レベル２」の場合は、「エリア１範囲Ｂ」を用い、リモートコントローラM115による遠隔操作位置が「エリア１範囲Ｂ」内に存在すると緊急停止車両の進行を妨げるものがないことが確認できる位置とする。一方、操作者スキルが「操作レベル３」の場合は、「エリア２範囲Ｃ」を用い、リモートコントローラM115による遠隔操作位置が「エリア２範囲Ｃ」内に存在すると緊急停止車両の進行を妨げるものがないことが確認できる位置とする。
【００５７】
［各操作部での操作権限の切り替え構成］
図７は、実施例１の無人搬送システムにおいて通常のとき各操作部から操作可能な通常操作権限を表す。図８は、実施例１の無人搬送システムにおいて無人運転車両が緊急停車したときの遠隔操作位置判断に応じて切り替えられる緊急停車時操作権限を表す。以下、図７及び図８に基づいて、無人運転車両が緊急停車したとき、通常時操作権限に対しての操作権限の切り替え構成を説明する。
【００５８】
先ず、通常時操作権限の詳細を、図７に基づいて説明する。
車内操作部（車内操作盤M108＋運転操作系）は、作業者が車内にドライバーとして乗車している状態で操作されるため、ステアリング、アクセル、ブレーキ、パーキングブレーキ、シフト等の、ドライバーが運転中にすべき操作は全て可能である。そして、自律走行のための発進指令やドライバー判断によるメカブレーキ作動、さらに、異常時のステータスモニタや復旧作業、メカブレーキの解除まで、ドライバー席付近に車載された車内操作盤M108より操作が可能である。
【００５９】
車外操作部としては、車載された車外操作盤M109と、管制室のリモートモニタ/コントローラM113と、ルート内作業者W101〜W105の各自が携帯するリモートコントローラM115とがある。
【００６０】
車外操作盤M109からは、載せ降し作業を行う荷役場から、車外から自律走行を開始するための発進指令と、作業者が危険を察知して車外から行うメカブレーキM111の作動指令と、停止時の車両ステータスモニタとが可能である。
【００６１】
管制室のリモートモニタ/コントローラM113からは、遠隔からのメカブレーキM111の作動指令と、稼働時の各車両のステータスモニタとが可能である。
【００６２】
作業者が携帯するリモートコントローラM115からは、作業者の近傍に限定される位置からの遠隔手動操作によるメカブレーキM111の作動指令のみが可能である。
【００６３】
ちなみに、自律走行においては、自動制御により「走る・曲がる・止まる」の運転操作が行われ、自己判断によってメカブレーキM111が自律作動する。
【００６４】
なお、自律走行中の発進指令として、
(a)停止線での停車時における安全確認後の再発進
(b)センサM101で検出した障害物と接触回避のための停車時における安全確認後の再発進
(c)信号機のある交差点での停車時における青信号で通行許可が降りた後の再発進
については、基本機能として有する。しかし、荷役場にて停車中からの再発進やメカブレーキM111が作動した後の再発進については、自動では行われず、作業者が権限を有する操作部により手動で行うものとする。
【００６５】
次に、無人運転車両が緊急停車したとき、遠隔操作位置の判断により切り替えられる緊急停車時遠隔操作権限を、図８に基づいて説明する。
【００６６】
作業者が携帯するリモートコントローラM115には、図７に示すように、通常時遠隔操作権限として、メカブレーキM111を作動させる遠隔操作権限のみが与えられている。これに対し、緊急停止車両に対する遠隔操作位置が、自律走行中に緊急停車した無人運転車両の進行を妨げる障害物がないことを確認できる位置であると判断されると、リモートコントローラM115による遠隔操作権限が追加される。
【００６７】
即ち、基本的には、リモートコントローラM115よる緊急停車時遠隔操作権限として、図８に示すように、メカブレーキM111を解除して発進の準備をする遠隔操作権限と、発進指令を出して強制走行する遠隔操作権限と、が通常時遠隔操作権限に追加される。
但し、遠隔操作による強制走行中のアクセル操作に関しては、加速上限と車速上限が設けられており、強制走行中はいつでも停車できるような低速走行に限定される。
【００６８】
次に、作用を説明する。
実施例１の作用を、「障害物検出による緊急停車対応処理作用」、「障害物検出による緊急停車シーンでの障害物回避作用」、「作業者スキルによる操作制限作用」、「異常発見による緊急停車対応処理作用」、「意図しない発進の抑制作用」、「無人搬送システムの遠隔操作特徴作用」に分けて説明する。
【００６９】
［障害物検出による緊急停車対応処理作用］
図９は、無人運転車両が障害物検出により停止したときの緊急停車対応処理の流れを示す。以下、図９の各ステップについて説明する。このフローチャートは、無人運転車両が障害物検出により停止すると開始される。
【００７０】
ステップＳ１では、無人運転車両が障害物検出により停止すると、緊急停止車両からリモートモニタ/コントローラM113を経由してリモートコントローラM115へ異常処理要求を出し、ステップＳ２へ進む。
ここで、緊急停止車両からリモートコントローラM115へ異常処理要求が出されると、リモートコントローラM115を携帯する複数のルート内作業者W101〜W105が、自律走行している無人運転車両が緊急停車したことを知ることができる。
【００７１】
ステップＳ２では、ステップＳ１での異常処理要求に続き、無人運転車両の緊急停車が知らされたルート内作業者W101〜W105により緊急停止車両の走行ルート上に走行を妨げる障害物が存在するか否かを確認する。緊急停止車両の走行ルート上に走行を妨げる障害物が存在せずに走行可能と判断されると、ステップＳ３へ進む。一方、緊急停止車両の走行ルート上に走行を妨げる障害物が存在することで走行不可能と判断されると、ステップＳ７へ進む。
【００７２】
ステップＳ３では、ステップＳ２での走行可能であるとの判断、或いは、ステップＳ４での操作位置障害物確認不可能であるとの判断、或いは、ステップＳ６での障害物回避未完であるとの判断に続き、リモートコントローラM115によりメカブレーキ解除操作入力と強制走行操作入力を行い、ステップＳ４へ進む。
ここで、強制走行操作入力を行なうのは、緊急停止車両の走行ルート上に走行を妨げる障害物の存在の有無を確認できる作業者である。
【００７３】
ステップ４では、ステップＳ３での強制走行操作入力に続き、緊急停止車両、障害物、リモートコントローラM115の位置情報に基づいて、作業者の遠隔操作位置において障害物が回避不要な障害物であるとの確認が可能であるか否かを判断する。Yes（操作位置障害物確認可能）の場合はステップＳ５へ進み、No（操作位置障害物確認不可能）である間はステップＳ３へ戻る。
ここで、操作位置障害物確認可能と判断されると、強制走行操作入力を行なう作業者が携帯するリモートコントローラM115に対し、メカブレーキ解除指令（発進準備指令）・強制走行指令（発進指令）の遠隔操作権限が与えられる。
【００７４】
ステップＳ５では、ステップＳ４での操作位置障害物確認可能であるとの判断に続き、リモートコントローラM115に対するメカブレーキ解除と強制走行の遠隔操作入力を有効とし、回避不要な障害物を無視して緊急停止車両を強制走行させ、ステップＳ６へ進む。
【００７５】
ステップＳ６では、ステップＳ５での障害物無視強制走行に続き、障害物の回避を完了したか否かを判断する。Yes（障害物回避完了）の場合はステップＳ８へ進み、No（障害物回避未完了）の場合はステップＳ３へ戻る。
【００７６】
ステップＳ７では、ステップＳ２にて緊急停止車両の走行ルート上に走行を妨げる障害物が存在することで走行不可能と判断されると、緊急停止車両の近くにいる作業者が、手作業により走行を妨げる障害物を除去し、ステップＳ８へ進む。
【００７７】
ステップＳ８では、ステップＳ６での障害物回避完了であるとの判断、或いは、ステップＳ７での障害物除去に続き、自律走行状態に復帰した無人運転車両の走行モードを、遠隔操作走行モードから自律走行モードに切り替え、緊急停車対応処理を完了する。
【００７８】
［障害物検出による緊急停車シーンでの障害物回避作用］
先ず、図９及び図１０に基づいて、無人運転車両が障害物検出により停止したときの作業者への異常発生通知作用を説明する。
【００７９】
例えば、草木等の回避不要な障害物検出により停止したときは、図９のフローチャートにおいて、ステップＳ１へ進み、緊急停止車両Ａからリモートモニタ/コントローラM113を経由してリモートコントローラM115へ異常処理要求が出される。
【００８０】
このように、異常処理要求が出されると、図１０に示すように、複数のリモートコントローラM115で異常発生通知を無線により受信する。そして、受信した複数のリモートコントローラM115では、メカブレーキの作動により緊急停車した車両があることが、画面表示やランプ点灯や警報音等により報知される。よって、リモートコントローラM115を携帯する複数のルート内作業者W101〜W105は、自律走行している無人運転車両が緊急停車したことを知ることができる。
【００８１】
次に、図９及び図１１に基づき、無人運転車両が回避不要な障害物検出により停止したときの強制走行による障害物回避作用を説明する。
【００８２】
複数のルート内作業者W101〜W105のうち、いずれかの作業者からの目視確認により走行可能と判断されると、図９のフローチャートにおいて、ステップＳ１→ステップＳ２→ステップＳ３→ステップＳ４へと進む。そして、ステップＳ４にて、走行可能と判断した作業者からの目視確認により障害物が回避不要な障害物と判断されるまでは、ステップＳ３→ステップＳ４へと進む流れが繰り返され、メカブレーキ解除と強制走行の遠隔操作入力があっても、これらの遠隔操作入力を無効とする。
【００８３】
ステップＳ４にて障害物が回避不要な障害物であると判断されると、ステップＳ４からステップＳ５→ステップＳ６へと進み、遠隔操作入力によるメカブレーキ解除と強制走行を有効とし、障害物を無視して緊急停止車両Ａのメカブレーキを解除し、強制走行により発進させる。そして、ステップＳ６にて障害物回避未完了と判断されている間は、ステップＳ３→ステップＳ４→ステップＳ５→ステップＳ６へと進む流れが繰り返され、緊急停止車両Ａが強制走行を維持する。そして、ステップＳ６にて障害物回避完了と判断されると、ステップＳ６からステップＳ８へと進み、緊急停車対応処理が完了する。
【００８４】
即ち、複数のルート内作業者W101〜W105のうち、例えば、緊急停止車両Ａの進行を妨げる障害物がないことが確認できる「エリア１範囲Ｂ」に存在する操作者が、リモートコントローラM115により遠隔操作を行ったとする。このとき、緊急停止車両Ａの前方位置にある障害物が、草木等の回避不要な障害物であると確認できる。このため、図１１に示すように、操作者W101の遠隔操作入力が有効となり、メカブレーキが解除され、緊急停止車両Ａが強制走行により発進し、回避不要な障害物である草木等を乗り越える。緊急停止車両Ａが、障害物の乗り越え回避し自律走行状態に復帰すると、走行モードが、遠隔操作走行モードから自律走行モードに切り替えられ、自律走行に復帰する。
【００８５】
図９及び図１２に基づき、無人運転車両が回避不要な障害物検出により停止したときの有人操作による障害物回避作用を説明する。
【００８６】
草木等の回避不要な障害物検出により停止したときであっても、作業者により障害物を目視確認できないときは、走行不可能と判断され、図９のフローチャートにおいて、ステップＳ１→ステップＳ２→ステップＳ７へと進む。つまり、遠隔操作により緊急停止車両Ａを強制走行させることができない。このため、ステップＳ７にて、図１２に示すように、視野外の操作者W102の遠隔操作入力が無効となり、例えば、緊急停止車両Ａの近くにいる別の作業者が、手作業により障害物を除去することになる。
【００８７】
そして、ステップＳ７にて障害物の除去を有人による手作業にて完了すると、ステップＳ７からステップＳ８へと進み、緊急停車対応処理が完了する。障害物を除去した後は、自律走行状態に復帰した緊急停止車両Ａの走行モードが、遠隔操作走行モードから自律走行モードに切り替えられ、自律走行に復帰する。
【００８８】
［作業者スキルによる操作制限作用］
図１３に基づいて緊急停止車両Ａが回避不要な障害物検出により停止したとき操作者スキルによる遠隔操作制限作用を説明する。
【００８９】
先ず、実施例１での緊急停車時遠隔操作権限は、下記の(a),(b),(c)に記載のように、エリア範囲と操作者スキルが考慮されて与えられる。
(a) 操作者が「操作レベル１」の場合、遠隔操作位置が「エリア１範囲Ｂ」に存在するとき、メカブレーキM111を解除して発進準備する遠隔操作権限が通常時遠隔操作権限に追加される。
(b) 操作者が「操作レベル２」の場合、遠隔操作位置が「エリア１範囲Ｂ」に存在するとき、メカブレーキM111を解除して発進準備する遠隔操作権限と、強制走行させる発進指令を出す遠隔操作権限とが通常時遠隔操作権限に追加される。
(c) 操作者が「操作レベル３」の場合、遠隔操作位置が「エリア２範囲Ｃ」に存在するとき、メカブレーキM111を解除して発進準備する遠隔操作権限と、強制走行させる発進指令を出す遠隔操作権限とが通常時遠隔操作権限に追加される。
【００９０】
図１３に示す「エリア１範囲Ｂ」に存在する作業者W101が「操作レベル１」の場合には、作業者W101が携帯するリモートコントローラM115による遠隔操作権限に、メカブレーキM111の解除指令を出す操作権限が追加される。一方、図１３に示す「エリア１範囲Ｂ」に存在する作業者W101が「操作レベル２」や「操作レベル３」の場合には、リモートコントローラM115による遠隔操作権限に、メカブレーキM111の解除指令を出す操作権限と、発進指令を出す操作権限とが追加される。このように、同じ「エリア１範囲Ｂ」に存在する作業者W101であっても、作業者W101が「操作レベル１」の場合には、「操作レベル２」や「操作レベル３」の場合よりも追加される遠隔操作権限が制限される。
【００９１】
図１３に示す「エリア２範囲Ｃ」に存在する作業者W102が「操作レベル１」や「操作レベル２」の場合には、作業者W101が携帯するリモートコントローラM115による遠隔操作権限が追加されることがない。一方、図１３に示す「エリア２範囲Ｃ」に存在する作業者W102が「操作レベル３」の場合には、リモートコントローラM115による遠隔操作権限に、メカブレーキM111の解除指令を出す操作権限と、発進指令を出す操作権限とが追加される。このように、同じ「エリア２範囲Ｃ」に存在する作業者W102のとき、作業者W102が「操作レベル３」の場合にのみ遠隔操作権限が追加され、作業者W102が「操作レベル１」や「操作レベル２」の場合には遠隔操作権限が制限（追加無し）される。
【００９２】
なお、作業者W103が図１３に示す「エリア２範囲Ｃ」の外側に存在する場合は、作業者W103の操作レベルにかかわらず、作業者W103が携帯するリモートコントローラM115による遠隔操作権限が追加されることがない。
【００９３】
上記のように、操作者が遠隔操作熟練者（「操作レベル３」）の場合には、遠隔操作権限の追加が「エリア２範囲Ｃ」まで拡大されることで、遠隔操作の機会が増加し、緊急停止車両Ａに乗り込んでの有人操作による負担をより低減することが可能になる。一方、操作者が新人等の遠隔操作未熟者（「操作レベル１」）の場合には、緊急停止車両Ａに対する過剰な遠隔操作が抑えられ、安全な遠隔操作が可能になる。
【００９４】
［異常発見による緊急停車対応処理作用］
図１４は、異常を発見して無人運転車両を遠隔操作により停止したときの緊急停車対応処理の流れを示す。以下、図１４の各ステップについて説明する。このフローチャートは、異常を発見した作業者が操作器１（リモートコントローラM115-1）への遠隔操作により無人運転車両を緊急停止させると開始される。
【００９５】
ステップＳ２１では、操作器１（リモートコントローラM115-1）による遠隔停止、或いは、ステップＳ２３での操作器１からの操作指示継続に続き、操作器２（リモートコントローラM115-2）により発進指令を出し、ステップＳ２２へ進む。
【００９６】
ステップＳ２２では、操作器２（リモートコントローラM115-2）による発進指令に続き、操作器１（リモートコントローラM115-1）の位置が操作器２（リモートコントローラM115-2）の位置より遠いか否かを判断する。Yes（操作器１位置＞操作器２位置）の場合はステップＳ２４へ進み、No（操作器１位置≦操作器２位置）の場合はステップＳ２３へ進む。
【００９７】
ステップＳ２３では、ステップＳ２２での操作器１位置≦操作器２位置であるとの判断に続き、操作器２（リモートコントローラM115-2）による発進指令を無効とし、操作器１（リモートコントローラM115-1）による遠隔停止指示を継続し、ステップＳ２１へ戻る。
【００９８】
ステップＳ２４では、ステップＳ２２での操作器１位置＞操作器２位置であるとの判断に続き、操作器１（リモートコントローラM115-1）による遠隔停止指示を無効とし、操作器２（リモートコントローラM115-2）による発進指令を有効とし、緊急停止車両を発進させ、遠隔操作走行モードから自律走行モードに切り替え、緊急停車対応処理を完了する。
【００９９】
［意図しない発進の抑制作用］
図１４及び図１５に基づき、異常を発見して無人運転車両を遠隔操作により停止したときの意図しない発進の抑制作用例１を説明する。
【０１００】
操作器１位置≦操作器２位置の位置関係にあるときは、図１４のフローチャートにおいて、ステップＳ２１→ステップＳ２２→ステップＳ２３へと進む流れが繰り返される。つまり、ステップＳ２３では、操作器２（リモートコントローラM115-2）による発進指令が無効とされ、操作器１（リモートコントローラM115-1）による遠隔停止指示が継続される。
【０１０１】
例えば、図１５に示すように、リモートコントローラM115-1を携帯している操作者１（作業者W101）が搭載車両ずれ等による異常を発見したとき、操作者１（作業者W101）がリモートコントローラM115-1への遠隔操作により無人運転車両を停止させる。次に、操作者１（作業者W101）は緊急停止車両Ａに牽引される搭載車両ずれ等の確認を行っているとする。この操作者１（作業者W101）による確認中、操作者１（作業者W101）より緊急停止車両Ａから離れた位置の操作者２（作業者W102）が緊急停止車両Ａを発見し、緊急停止車両Ａを遠隔操作により発進させる入力を行ったとする。このとき、操作者２（作業者W102）の緊急停止車両Ａを発進させる遠隔操作入力を有効にすると、異常の確認作業中である操作者１（作業者W101）にとっては、緊急停止車両Ａの意図しない発進になる。
これに対し、操作器１位置≦操作器２位置の位置関係にあるとき、操作者２（作業者W102）の遠隔操作入力を無効にし、緊急停止車両Ａに近い位置の操作者1（作業者W101）による緊急停止操作を継続することで、緊急停止車両Ａの意図しない発進を抑制することができる。
【０１０２】
図１４及び図１６に基づき、異常を発見して無人運転車両を遠隔操作により停止したときの意図しない発進の抑制作用例２を説明する。
【０１０３】
操作器１位置＞操作器２位置の位置関係にあるときは、図１４のフローチャートにおいて、ステップＳ２１→ステップＳ２２→ステップＳ２４へと進む流れが繰り返される。つまり、ステップＳ２４では、操作器１（リモートコントローラM115-1）による遠隔停止指示が無効にされ、操作器２（リモートコントローラM115-2）による発進指令が有効とされ、緊急停止車両Ａが発進する。
【０１０４】
例えば、図１５に示すように、リモートコントローラM115-1を携帯している操作者１（作業者W101）が搭載車両ずれ等による異常を発見したとき、操作者１（作業者W101）がリモートコントローラM115-1への遠隔操作により無人運転車両を停止させる。次に、操作者１（作業者W101）は緊急停止車両Ａに牽引される搭載車両ずれ等の確認をし、確認を完了して再発進の指令をしないままで別作業へ行ったとする。このように、操作者１（作業者W101）が再発進を忘れたままで別作業へ離れたとき、操作者１（作業者W101）より緊急停止車両Ａに近い位置の操作者２（作業者W102）が緊急停止車両Ａを発見し、緊急停止車両Ａを遠隔操作により発進させる入力を行ったとする。このとき、操作者２（作業者W102）の緊急停止車両Ａを発進させる遠隔操作入力を無効にすると、緊急停止車両Ａは停止状態のまま放置されてしまうことになる。
これに対し、操作器１位置＞操作器２位置の位置関係にあるとき、操作者２（作業者W102）の遠隔操作入力を有効にすることで、停止状態のまま放置されている緊急停止車両Ａを自律走行モードへ復帰させることができる。
【０１０５】
［無人搬送システムの遠隔操作特徴作用］
実施例１では、自律走行中に異常による走行停止状態が発生したとき、緊急停止車両ＡとリモートコントローラM115の位置関係により遠隔操作位置が、緊急停止車両Ａの進行を妨げる障害物がないことを確認できる位置であるかどうかを判断する。遠隔操作位置が、緊急停止車両Ａの進行を妨げる障害物がないことが確認できる位置であると判断されると、遠隔操作により自律走行状態への復帰が可能な遠隔操作権限を与える。
【０１０６】
即ち、自律走行中に異常（「センサの過検知/誤検知による回避不要な障害物の検出時」や「瞬間的なセンサ異常時」等）により走行停止状態が発生することがある。この場合、作業者が緊急停止車両の位置まで移動し、回避不要な障害物であるとの確認や障害物が無いことの確認をし、その後、車両に乗り込んで自律走行状態に復帰させる操作を行うと、作業者への操作負担が増加する。また、自律走行中に異常により走行停止状態が発生する場合には、遠隔操作で緊急停止車両を動かすことで障害を回避することが可能な場合が多くあり、遠隔操作可能な範囲を狭めてしまっている。
これに対し、各作業者W101〜W105が携帯しているリモートコントローラM115の位置（＝遠隔操作位置）が、緊急停止車両Ａの進行を妨げる障害物がないことが確認できる位置であるとの位置条件が成立すると、遠隔操作により自律走行状態へ復帰可能にしている。このため、自律走行中に異常による走行停止状態が発生したとき、緊急停止車両Ａに乗り込んでの有人操作による操作負担を低減することができる。
【０１０７】
実施例１では、遠隔操作位置の判断をするとき、予め定められた走行ルート情報に基づいてエリア範囲（エリア１範囲Ｂ，エリア２範囲Ｃ）を生成する。そして、遠隔操作位置が生成されたエリア範囲（エリア１範囲Ｂ，エリア２範囲Ｃ）に存在すると、緊急停止車両Ａの進行を妨げる障害物がないことを確認できる位置であると判断する。
【０１０８】
即ち、緊急停止車両ＡとリモートコントローラM115の位置関係を判断するとき、予め定められた走行ルート情報に基づいてエリア範囲を生成すると、緊急停止車両Ａの進行方向や走行ルートが設定されるルート敷地境界線等が反映されたものとなる。従って、予め定められた走行ルート情報に基づいて生成されたエリア範囲により、緊急停止車両Ａの進行を妨げる障害物がないことを確認できる位置であるとの判断を行う際、位置判断に用いる適切なエリア範囲を生成することができる。
【０１０９】
実施例１では、エリア範囲（エリア１範囲Ｂ，エリア２範囲Ｃ）は、自律走行中に随時更新される走行ルート情報と、更新される走行ルートを走行するときの車両速度情報とに基づき、車両速度が高い走行ルート上での緊急停車であるほど狭い範囲に生成する。
【０１１０】
即ち、同じ遠隔操作位置の場合、車両速度が高い走行ルート上での緊急停車であるほど、緊急停止車両Ａの進行を妨げる障害物がないことの確認が難しくなる。従って、障害物がないことの確認する際の難易度に応じてエリア範囲を生成することで、緊急停止前の車両速度にかかわらず、緊急停車時に障害物がないことを確認するのに適切なエリア範囲を生成することができる。
【０１１１】
実施例１では、エリア範囲（エリア１範囲Ｂ，エリア２範囲Ｃ）は、緊急停止車両Ａに搭載された車載カメラM101bからの外界認識範囲情報とのマッチングによって拡がり角度を決める。
【０１１２】
即ち、エリア範囲の拡がり角度の決め方の自由度は高く、例えば、狭い拡がり角度にすると、遠隔操作可能な範囲を狭めてしまう。一方、広い拡がり角度にすると、障害物がないことを確認できる位置と判断されても、緊急停止車両Ａの前方位置の障害物を目視により確認できないという事態を招くことになる。これに対し、エリア範囲の拡がり角度を、車載カメラM101bからの外界認識範囲情報とのマッチングによって決めると、十分な拡がり角度を持つエリア範囲としながら、緊急停止車両Ａの前方位置の障害物を目視確認可能なエリア範囲を生成することができる。
【０１１３】
実施例１では、エリア範囲（エリア１範囲Ｂ，エリア２範囲Ｃ）は、外界認識範囲情報とのマッチングによって決められた拡がり角度情報に、緊急停止車両ＡとリモートコントローラM115との距離情報を加えて生成する。
【０１１４】
即ち、エリア範囲の生成に、緊急停止車両ＡとリモートコントローラM115との距離情報を加えて生成することで、緊急停止車両Ａの前方位置の障害物を目視により確認する際の作業者レベルに対応するエリア範囲を生成することができる。
【０１１５】
実施例１では、エリア１範囲Ｂ，エリア２範囲Ｃを生成するとき、リモートコントローラM115を操作する操作者のスキル情報を加味する。そして、スキル情報が熟練を示すほどエリア１範囲Ｂ，エリア２範囲Ｃの距離L1,L2を長くし、スキル情報が未熟を示すほどエリア１範囲Ｂ，エリア２範囲Ｃの距離L1,L2を短くする。
【０１１６】
即ち、遠隔操作にて対応可能なエリア範囲は、リモートコントローラM115を操作する操作者のスキルによって異なり、熟練者であるほど広いし、未熟者であるほど狭い。従って、操作習熟度や安全管理能力など操作者のスキルに合わせて遠隔操作範囲を制限することによって、より安全な遠隔操作/車両動作を行うことができる。
【０１１７】
実施例１では、自律走行中にリモートコントローラM115-1での遠隔操作による走行停止状態が発生したとき、リモートコントローラM115-1の位置とリモートコントローラM115-2の位置の緊急停止車両Ａからの距離関係を判断する。そして、リモートコントローラM115-1の位置がリモートコントローラM115-2の位置以下の距離と判断されている間、リモートコントローラM115-2への遠隔操作を無効とし、リモートコントローラM115-1への遠隔操作による停車指示を継続する。
【０１１８】
即ち、異常を発見して無人運転車両V101〜V105を遠隔操作により停止したとき、リモートコントローラM115-1の位置がリモートコントローラM115-2の位置以下の距離と判断されている間、リモートコントローラM115-2への遠隔操作が無効とされ、リモートコントローラM115-1への遠隔操作による停車指示が継続される。このため、異常を発見して無人運転車両V101〜V105を遠隔操作により停止したとき、緊急停止車両Ａの意図しない発進を抑制することができる。
【０１１９】
次に、効果を説明する。
実施例１における無人搬送システムの遠隔操作方法と遠隔操作装置にあっては、下記に列挙する効果が得られる。
【０１２０】
(1) 物理的または仮想的に設定された走行ルートを無人運転により追従する自律走行が可能な無人運転車両V101〜V105と、無人運転車両V101〜V105を遠隔操作により走行可能とする遠隔操作機器（リモートコントローラM115）と、を備える。
この無人運転システム（無人搬送システム）において、無人運転車両V101〜V105の位置を検出する車両位置検出手段（GPSシステムM101a）と、遠隔操作機器（リモートコントローラM115）の位置を検出する機器位置検出手段（GPSシステムM115b）と、を有する。
自律走行中に異常による走行停止状態が発生したとき、緊急停止車両Ａと遠隔操作機器（リモートコントローラM115）の位置関係により遠隔操作位置が、緊急停止車両Ａの進行を妨げる障害物がないことを確認できる位置であるかどうかを判断する。
遠隔操作位置が、緊急停止車両Ａの進行を妨げる障害物がないことが確認できる位置であると判断されると、遠隔操作により自律走行状態への復帰が可能な遠隔操作権限を与える（図８）。
このため、自律走行中に異常による走行停止状態が発生したとき、緊急停止車両Ａに乗り込んでの有人操作による操作負担を低減する無人搬送システム（無人運転システム）の遠隔操作方法を提供することができる。
【０１２１】
(2) 遠隔操作位置の判断をするとき、予め定められた走行ルート情報に基づいてエリア範囲（エリア１範囲Ｂ，エリア２範囲Ｃ）を生成する。遠隔操作位置が生成されたエリア範囲（エリア１範囲Ｂ，エリア２範囲Ｃ）に存在すると、緊急停止車両Ａの進行を妨げる障害物がないことを確認できる位置であると判断する（図６）。
このため、(1)の効果に加え、緊急停止車両Ａの進行を妨げる障害物がないことを確認できる位置であるとの判断を行う際、位置判断に用いる適切なエリア範囲（エリア１範囲Ｂ，エリア２範囲Ｃ）を生成することができる。
【０１２２】
(3) エリア範囲（エリア１範囲Ｂ，エリア２範囲Ｃ）は、自律走行中に随時更新される走行ルート情報と、更新される走行ルートを走行するときの車両速度情報とに基づき、車両速度が高い走行ルート上での緊急停車であるほど狭い範囲に生成する（図６）。
このため、(2)の効果に加え、緊急停止前の車両速度にかかわらず、緊急停車時に障害物がないことを確認するのに適切なエリア範囲（エリア１範囲Ｂ，エリア２範囲Ｃ）を生成することができる。
【０１２３】
(4) エリア範囲（エリア１範囲Ｂ，エリア２範囲Ｃ）は、緊急停止車両Ａに搭載された外界センサ（車載カメラM101b）からの外界認識範囲情報とのマッチングによって拡がり角度を決める（図６）。
このため、(2)又は(3)の効果に加え、十分な拡がり角度を持つエリア範囲（エリア１範囲Ｂ，エリア２範囲Ｃ）としながら、緊急停止車両Ａの前方位置の障害物を目視確認可能なエリア範囲（エリア１範囲Ｂ，エリア２範囲Ｃ）を生成することができる。
【０１２４】
(5) エリア範囲（エリア１範囲Ｂ，エリア２範囲Ｃ）は、外界認識範囲情報とのマッチングによって決められた拡がり角度情報に、緊急停止車両Ａと遠隔操作機器（リモートコントローラM115）との距離情報を加えて生成する（図６）。
このため、(4)の効果に加え、緊急停止車両Ａの前方位置の障害物を目視により確認する際の作業者レベルに対応するエリア範囲（エリア１範囲Ｂ，エリア２範囲Ｃ）を生成することができる。
【０１２５】
(6) エリア範囲（エリア１範囲Ｂ，エリア２範囲Ｃ）を生成するとき、遠隔操作機器（リモートコントローラM115）を操作する操作者のスキル情報を加味する。そして、スキル情報が熟練を示すほどエリア範囲（エリア１範囲Ｂ，エリア２範囲Ｃ）の距離L1,L2を長くし、スキル情報が未熟を示すほどエリア範囲（エリア１範囲Ｂ，エリア２範囲Ｃ）の距離L1,L2を短くする（図６）。
このため、(5)の効果に加え、操作習熟度や安全管理能力など操作者のスキルに合わせて遠隔操作範囲を制限することによって、より安全な遠隔操作/車両動作を行うことができる。
【０１２６】
(7) 遠隔操作機器として、第１遠隔操作機器（リモートコントローラM115-1）と第２遠隔操作機器（リモートコントローラM115-2）とを有する。
自律走行中に第１遠隔操作機器（リモートコントローラM115-1）からの遠隔操作により走行停止状態が発生したとき、緊急停止車両Ａから第１遠隔操作機器（リモートコントローラM115-1）までの第１位置（操作器１位置）と、緊急停止車両Ａから第２遠隔操作機器（リモートコントローラM115-2）までの第２位置（操作器２位置）との大小関係を判断する。
第１位置（操作器１位置）が第２位置（操作器２位置）以下の距離であると判断されている間、第２遠隔操作機器（リモートコントローラM115-2）への遠隔操作を無効とし、第１遠隔操作機器（リモートコントローラM115-1）への遠隔操作による停車指示を継続する（図１４）。
このため、(1)〜(6)の効果に加え、異常を発見して無人運転車両V101〜V105を遠隔操作により停止したとき、緊急停止車両Ａの意図しない発進を抑制することができる。
【０１２７】
(8) 物理的または仮想的に設定された走行ルートを無人運転により追従する自律走行が可能な無人運転車両V101〜V105と、無人運転車両V101〜V105を遠隔操作により走行可能とする遠隔操作機器（リモートコントローラM115）と、を備える。
この無人運転システム（無人搬送システム）において、無人運転車両V101〜V105の位置を検出する車両位置検出手段（GPSシステムM101a）と、遠隔操作機器（リモートコントローラM115）の位置を検出する機器位置検出手段（GPSシステムM115b）と、遠隔操作機器（リモートコントローラM115）による遠隔操作権限の切り替え制御を行うコントローラ（リモートモニタ/コントローラM113）と、を有する。
コントローラ（リモートモニタ/コントローラM113）は、自律走行中に異常による走行停止状態が発生したとき、緊急停止車両Ａと遠隔操作機器（リモートコントローラM115）の位置関係により遠隔操作位置が、緊急停止車両Ａの進行を妨げる障害物がないことを確認できる位置であるかどうかを判断する。
遠隔操作位置が、緊急停止車両Ａの進行を妨げる障害物がないことが確認できる位置であると判断されると、遠隔操作により自律走行状態への復帰が可能な遠隔操作権限を与える処理を実行する（図８）。
このため、自律走行中に異常による走行停止状態が発生したとき、緊急停止車両Ａに乗り込んでの有人操作による操作負担を低減する無人搬送システム（無人運転システム）の遠隔操作装置を提供することができる。
【０１２８】
以上、本開示の無人運転システムの遠隔操作方法と遠隔操作装置を実施例１に基づき説明してきた。しかし、具体的な構成については、この実施例１に限られるものではなく、特許請求の範囲の各請求項に係る発明の要旨を逸脱しない限り、設計の変更や追加等は許容される。
【０１２９】
実施例１では、遠隔操作機器として、ルート内作業者W101〜W105が携帯するリモートコントローラM115の例を示した。しかし、遠隔操作機器としては、携帯ができない固定され、操作者が存在する車外操作盤M109であっても良い。さらに、作業者が携帯するリモートコントローラと操作者が存在する車外操作盤の両方を遠隔操作機器としても良い。
【０１３０】
実施例１では、遠隔操作位置の判断をするとき、予め定められた走行ルート情報に基づいて生成されたエリア１範囲Ｂ，エリア２範囲Ｃを用いる例を示した。しかし、遠隔操作位置の判断をするとき、エリア範囲を生成することなく、緊急停止車両位置と遠隔操作位置の距離と位置関係により遠隔操作位置を判断する例であっても良い。
【０１３１】
実施例１では、本開示の遠隔操作方法と遠隔操作装置を無人搬送システムに適用する例を示した。しかし、本開示の遠隔操作方法と遠隔操作装置は、例えば、無人タクシーシステムや無人バレーパーキングシステムや無人バスシステムや無人トラックシステム等の他の無人運転システムに対しても適用することができる。要するに、物理的または仮想的に設定された走行ルートを無人運転により追従する自律走行が可能な無人運転車両と、無人運転車両を遠隔操作により走行可能とする遠隔操作機器と、を備える無人運転システムであれば適用できる。
【符号の説明】
【０１３２】
V101〜V107  無人運転車両
Ａ  緊急停止車両
M101  センサ
M101a  GPSシステム（車両位置検出手段）
M108  車内操作盤
M109  車外操作盤
M111  メカブレーキ機構
M113  リモートモニタ/コントローラ（コントローラ）
M115  リモートコントローラ（遠隔操作機器）
M115-1  リモートコントローラ（第１遠隔操作機器）
M115-2  リモートコントローラ（第２遠隔操作機器）
M115b  GPSシステム（機器位置検出手段）
【図１】
2018063615.tif 000003
【図２】
2018063615.tif 000004
【図３】
2018063615.tif 000005
【図４】
2018063615.tif 000006
【図５】
2018063615.tif 000007
【図６】
2018063615.tif 000008
【図７】
2018063615.tif 000009
【図８】
2018063615.tif 000010
【図９】
2018063615.tif 000011
【図１０】
2018063615.tif 000012
【図１１】
2018063615.tif 000013
【図１２】
2018063615.tif 000014
【図１３】
2018063615.tif 000015
【図１４】
2018063615.tif 000016
【図１５】
2018063615.tif 000017
【図１６】
2018063615.tif 000018